(57)【要約】 【目的】ボーリングバーをホルダの中空穴に対し、その先端側から所定の突出量を確保して挿入し、ホルダに設けられたネジ穴にクランプスクリューをねじ込んで固定するのに、刃先が設定した一定の心高さ、オフセットによる取付けが簡易に得られるようにする。【解決手段】ホルダ１００は、中空穴１１０が横断面矩形であり、シャンク２５０に設けられた２面幅の平面のうちの１つの平面２５５が、その矩形の中空穴１１０における長辺を含む平坦座面１１３に押付けられ、シャンク２５０の外周面のうちの切れ刃２１５が突出する側と反対側の部位２２５が、その短辺を含む横拘束壁１１５にて拘束されように形成した。ネジ穴１７０を、その軸線１７０ｘが平坦座面１１３と傾斜角αをなすように設けた。これにより、クランプスクリュー３００のねじ込みで、設定された心高さ等の取付けが得られる。【選択図】  図３
2014205229.tif 000002
【特許請求の範囲】
【請求項１】
ボーリングバーのシャンクを内挿させ得る中空穴と、該中空穴に内挿した該シャンクをクランプするために、該中空穴の内周面と外周面との間を貫通して、先後に間隔をおいて複数設けられたネジ穴と、該ねじ穴に外周面側からねじ込まれるクランプスクリューとを含み、該クランプスクリューをねじ込むことによって、該中空穴に内挿したシャンクをクランプするように構成されたボーリングバー用ホルダであって、
前記シャンクは、少なくとも、切れ刃におけるすくい面に対し反対側を向く１つの側面に、該シャンクの軸線に平行な平面を有するものであり、
前記中空穴は、その内周面に、該シャンクの該平面が接することで、その接圧方向の位置決めがなされる平坦座面と、該シャンクの外周面のうちの切れ刃が突出する側と反対側の部位を拘束する横拘束壁とを有しており、
前記ネジ穴は、前記クランプスクリューによって、前記中空穴に内挿されて前記平坦座面と前記横拘束壁とで位置決めされているシャンクのうちのすくい面側であって前記切れ刃が突出する側の部位を押え付け得るように、該中空穴を先端側から見たとき、そのネジの軸線が該平坦座面と傾斜角αをなすように設けられてなることを特徴とするボーリングバー用ホルダ。
【請求項２】
傾斜角αは、２０度〜６０度の範囲であることを特徴とする請求項１に記載のボーリングバー用ホルダ。
【請求項３】
前記中空穴は、先端側から見たとき、略長方形で、前記平坦座面が、この長方形の長辺側に位置し、前記横拘束壁がこの長方形の短辺側に位置するように形成されていることを特徴とする請求項１又は２のいずれか１項に記載のボーリングバー用ホルダ。
【請求項４】
前記中空穴は、先端側から見たとき、略長方形で、前記平坦座面が、この長方形の長辺側に位置し、前記横拘束壁がこの長方形の短辺側に位置するように形成されており、
前記ボーリングバーのシャンクは、外径Ｄ１の丸棒において、切れ刃におけるすくい面側とその反対側に軸に平行な２つの平面が付けられており、前記中空穴の長辺の長さＡはシャンクの外径Ｄ１より大きく、短辺の長さＢがシャンクの外径Ｄ１より小さく設定されていることを特徴とする請求項１又は２のいずれか１項に記載のボーリングバー用ホルダ。
【発明の詳細な説明】
【技術分野】
【０００１】
本発明は、ボーリングバー用ホルダに関し、詳しくは、旋削等により工作物の穴の内周面の加工に使用されるボーリングバーをクランプするためのホルダに関する。
【背景技術】
【０００２】
旋削によって工作物（被削物）の穴の内周面を切削するとき、その穴の内径が、例えば、１０ｍｍ以下、又は８ｍｍ以下であるような小径の穴の加工に用いられるボーリングバー（内径加工用工具）は、先端側の切れ刃の部位も、基部のシャンクも自ずと細いものとなる。このようなボーリングバーは、これ単独ではなく、そのシャンクを、それより大径をなすスリーブ状のホルダ（ボーリングバー用ホルダ）の中空穴（嵌合穴）に内挿して一体化して使用されることが多い。その一体化は、ボーリングバーのシャンクをホルダの中空穴に内挿して、このホルダに設けられたネジ穴に、その外周面側から六角穴付き止ネジなどからなるクランプスクリューをねじ込んで、その先端でシャンクを押さえつけて固定するというのが普通であり、図７は、このように一体化したものをボーリングバー２００の先端側から見た図である。
【０００３】
図７のものは、切れ刃を一体で備えたソリッドタイプのボーリングバー２００におけるシャンク（円軸部）２５０を、円筒状のホルダ１００における中空穴１１０に内挿し、中空穴の内周面と外周面との間を貫通して設けられたネジ穴１７０に、外周面側からねじ込まれたクランプスクリュー３００で、そのシャンクの外周面を締付けて固定する構成とされている。なお、固定には、クランプスクリューを、先後に間隔をおいて複数（２〜４本）用いるのが普通である。このものでは、一体化後のホルダ１００の基部を機械（例えば、自動旋盤）の刃物台（ブロック）の取付け穴（センタ穴）に内挿し、ボーリングバー２００の固定と同様にして、そのホルダ１００を刃物台に設けられた押えボルト（ネジ）で固定して、その使用に供せられる。
【０００４】
ところで、ボーリングバーのシャンク２５０は、丸棒（円軸）が基本形であるが、近時は、その外周面部位（図７の上下面）が軸線に平行な平面２５３，２５５に研削仕上げされたもの（面付けされたもの）が使用されている。このものでは、その一方の平面をクランプスクリュー３００の先端で押さえつけるようにすることで、ボーリングバー２００のホルダ１００への固定における回転防止や固定の安定化が図られるというものである。また、このように平面仕上げとしておくことで、シャンクの内挿、固定時において、その平面の位置から切れ刃の向きないし位置を掴みやすく、したがって、心高出し作業が容易ともなる。一方、この場合、ボーリングバーがソリッドタイプのもので、シャンクの両端において異なる側に、それぞれ切れ刃（両端で２つの切れ刃）を持つものでは、図７に示したように、シャンク２５０の軸線を挟んで対向する部位に、その軸に平行に２つの平面２５３，２５５をつける必要がある。したがって、このものでは、シャンクは、軸線に平行な二面（２つの平面）を有するもの（以下、２面幅加工）となる。
【０００５】
他方、このようなボーリングバー２００のシャンク２５０を受入れる（内挿する）ホルダ１００の中空穴１１０は通常、円形穴である。そして、その中空穴に対するシャンクの嵌合は隙間嵌めであるから、２面幅加工され、対向する２つの平面２５３，２５５を有するシャンク２５０をその中空穴１１０に通して、ホルダに、一方のその平面２５３に向けてクランプスクリュー３００をねじ込んでそのシャンクを固定する際には、その横断面において、クランプスクリューの先端で押し付けられる側と反対側の平面２５５の両端点（平面と円弧のなす交差角）は、ホルダ１１０の円形の中空穴１１０の内周面に、横断面において局所的に強く押付けられる。このため、このようなクランプにおいては、経時的にその角で押付けらけれるホルダの円形の内周面は、クランプスクリューの押付け力方向にダレを発生する等の変形が発生しがちとなる。結果、そのようにして固定されているボーリングバーは、心高さ精度が低下するから、加工精度が低下する。さらには、ガタツキが発生しやすいなどクランプ剛性の低下を招くなどの問題もある。
【０００６】
こうした中、かかる問題を解消するものとして、ホルダのうち、バーのシャンクを内挿して固定する中空穴（嵌合穴）を横断面、四角形等の角穴とした技術が提案されている（特許文献１）。このものでは、図８に示したように、クランプスクリュー３００のねじ込みにより、２面幅加工されたシャンク２５０における一方の平面（平坦面）２５３を押え付け、その反対側の他方の平面（平坦面）２５５が、横断面四角の穴（中空穴）１１０の１つの辺を含む平面（着座面）１１４に押付けられるものとされている。これによれば、その中空穴１１０の横断面形状、及びボーリングバー２００のシャンク２５０に設けられた平面（２面幅加工）２５３，２５５に基づき、その他方の平面２５５が着座面１１４に密着する形となるから、クランプ剛性も高く、心高さも一定に保持できる。また、両端に、それぞれ切れ刃をもつタイプのものにも適用できる。
【先行技術文献】
【特許文献】
【０００７】
【特許文献１】実開平０５−４９２０５号公報
【発明の概要】
【発明が解決しようとする課題】
【０００８】
このように中空穴１１０が角穴のものでは、その構造上、シャンク２５０を着座面１１４とクランプスクリュー３００の先端とで挟み付ける方向については、シャンクの位置決め性、拘束性は極めてよい。しかし、図８に示したように、ホルダ（中空穴）１００を先端から見たとき、そのシャンク２５０の挟み付け方向（スクリュー３００のねじ込み方向）と直交する方向、すなわち、着座面１１４の面に沿う方向については、その拘束における位置決め性に難点がある。というのは、中空穴１１０が角穴のものでは、その穴の内寸は、その挟み付け方向、およびそれと直交する方向とも、挿入されたシャンク２５０の対応する径より、いずれも大きい。このとき、その挟み付け方向においてはその挟み付けにより自動的に位置決めがなされる。これに対し、それと直交する方向（径方向）に関しては、挟み付け前には隙間δ分、その径方向に微量とはいえ動きが存在するし、挟み付け後においても、隙間は存在するから受ける外力次第では、その後でも位置が変位してしまう。すなわち、中空穴１１０が角穴ではこのように挟み付け方向と直交する方向（径方向）に関しては、位置決め性に難点があるのである。
【０００９】
このように、角穴の構造のものでは、上記のようにして、着座面１１４と、クランプスクリュー３００の先端とで、シャンク２５０における２つの平面２５３，２５５の部位（２面幅部位の平面相互間）を挟み付けるだけで、その着座面１１４における垂直方向の位置精度（心高さ精度）は確保できるが、それだけでは、着座面１１４に沿うシャンク２５０の横断面長径をなす径方向における位置精度は確保できない。このため、上記角穴構造のものでは、ホルダを先端から見たとき、シャンクの横断面長径をなす径方向には隙間分の動きが許容されていることに対応し、そのねじ込みに際しては、作業者において、例えば、角穴における左右のいずれか一方の壁にシャンクが当るようにそれを微妙に位置決めすることが必要となる。このように、この角穴構造のものでは、切れ刃の交換時には、クランプスクリュー３００のねじ込みごと、僅かではあるが、シャンク２５０が中空穴１１０において、角穴の壁面の一方に対して偏在すること（オフセット）があるため、それに応じて、刃先の位置が微妙に変化するという問題があり、これがひいては内径の加工精度の低下を招くという問題があった。
【００１０】
本発明は、かかる問題点に鑑みてなされたものでボーリングバーをホルダの中空穴に対し、その先端側から所定の突出量を確保して挿入し、そのホルダに設けられたネジ穴にクランプスクリューをねじ込んでそのシャンクを押さえつけて取付ける際において、作業者に依存することなく、その刃先が設定された一定の心高さ、オフセットによる高精度の取付けが簡易、迅速に得られるボーリングバー用ホルダを提供することをその目的とする。
【課題を解決するための手段】
【００１１】
請求項１に記載の本発明は、ボーリングバーのシャンクを内挿させ得る中空穴と、該中空穴に内挿した該シャンクをクランプするために、該中空穴の内周面と外周面との間を貫通して、先後に間隔をおいて複数設けられたネジ穴と、該ねじ穴に外周面側からねじ込まれるクランプスクリューとを含み、該クランプスクリューをねじ込むことによって、該中空穴に内挿したシャンクをクランプするように構成されたボーリングバー用ホルダであって、
前記シャンクは、少なくとも、切れ刃におけるすくい面に対し反対側を向く１つの側面に、該シャンクの軸線に平行な平面を有するものであり、
前記中空穴は、その内周面に、該シャンクの該平面が接することで、その接圧方向の位置決めがなされる平坦座面と、該シャンクの外周面のうちの切れ刃が突出する側と反対側の部位を拘束する横拘束壁とを有しており、
前記ネジ穴は、前記クランプスクリューによって、前記中空穴に内挿されて前記平坦座面と前記横拘束壁とで位置決めされているシャンクのうちのすくい面側であって前記切れ刃が突出する側の部位を押え付け得るように、該中空穴を先端側から見たとき、そのネジの軸線が該平坦座面と傾斜角αをなすように設けられてなることを特徴とする。
【００１２】
請求項２に記載の本発明は、傾斜角αは、２０度〜６０度の範囲であることを特徴とする請求項１に記載のボーリングバー用ホルダである。
請求項３に記載の本発明は 前記中空穴は、先端側から見たとき、略長方形で、前記平坦座面が、この長方形の長辺側に位置し、前記横拘束壁がこの長方形の短辺側に位置するように形成されていることを特徴とする請求項１又は２のいずれか１項に記載のボーリングバー用ホルダである。
【００１３】
請求項４に記載の本発明は、前記中空穴は、先端側から見たとき、略長方形で、前記平坦座面が、この長方形の長辺側に位置し、前記横拘束壁がこの長方形の短辺側に位置するように形成されており、
前記ボーリングバーのシャンクは、外径Ｄ１の丸棒において、切れ刃におけるすくい面側とその反対側に軸に平行な２つの平面が付けられており、前記中空穴の長辺の長さＡはシャンクの外径Ｄ１より大きく、短辺の長さＢがシャンクの外径Ｄ１より小さく設定されていることを特徴とする請求項１又は２のいずれか１項に記載のボーリングバー用ホルダである。
【発明の効果】
【００１４】
本発明のボーリングバー用ホルダを用いることにより、その中空穴にボーリングバーにおけるシャンクを内挿し、前記ネジ穴に、クランプスクリューをねじ込むことにより、前記中空穴に内挿されたシャンクは、ホルダを先端側から見たとき、そのスクリューの先端と、中空穴における平坦座面と、前記横拘束壁との３箇所で、位置決めされて固定される。このため、そのクランプスクリューのねじ込みにより、中空穴においてシャンクが回転することなく、シャンクはクランプスクリューの先端で傾斜角α方向に押付けられて位置決めされながら固定される。これにより、本発明のボーリングバー用ホルダによれば、使用するボーリングバーが同じであれば、刃先の交換に際しても、作業者ごと、刃先の心高さやオフセット量に変化がでることなく、一定の心高、オフセットによる高精度の取付けが簡易、迅速に得られる。結果、寸法精度の高い内径加工を高い繰り返し精度で実現できる。
【００１５】
しかも、クランプスクリューをねじ込む前記ネジ穴は、そのネジの軸線が前記平坦座面と傾斜角αをなすように設けられている。したがって、前記中空穴に内挿されるシャンクは、クランプスクリューのねじ込みにより、前記平坦座面と前記横拘束壁とで位置決めされた状態において、そのクランプスクリューの先端で、すくい面側であって前記切れ刃が突出する側の部位が押え付けられる。これにより、本発明にかかるボーリングバー用ホルダにクランプされるボーリングバーは、切削抵抗（合力）のうち、主分力は前記平坦座面で受けられ、背分力は前記横拘束壁で受けられる。これにより、大きな切削抵抗にも安定して抗することができる。すなわち、切れ刃について一定の心高、オフセットによる取付けを得るためには、クランプスクリューのねじ込み方向、すなわち、前記ネジ穴のネジの軸線を前記平坦座面と傾斜角αが付くようにすればよく、したがって、前記ネジ穴は、クランプスクリューを、例えば、すくい面側であるとしても、切れ刃が突出する側と反対側からねじ込むこととしてもよい。しかし、そうすると、切削抵抗（合力）のうちの背分力はクランプスクリューの先端で受圧することになるから、クランプスクリューに弛緩が発生する危険性があるなど、高剛性のクランプは得られない。これに対し、本発明では、ネジの軸線を前記構成のようにしたため、そのような問題がない。
【００１６】
なお、中空穴は、切れ刃の先端（刃先）が、所望とする高さ、オフセット位置に保持されるように、バーのシャンクの直径（横断面寸法）に応じて、その平坦座面及び横拘束壁が位置するように形成しておけばよい。すなわち、中空穴の大きさや、平坦座面及び横拘束壁の位置は、クランプするボーリングバーのシャンクの外径、切れ刃の形状等に応じて設定しておけばよい。なお、平坦座面は内径加工における主分力を、横拘束壁は内径加工における背分力を、それぞれ主として受け持つところであるから、クランプスクリューの軸線の傾斜角αは、中空穴を先端側から見たときの、これらの合力の向きを考慮して設定すればよい。該中空穴を先端側から見たとき、２０〜６０度の範囲で設定するとよい。
【００１７】
本発明において前記中空穴の形状は、１つの平坦座面と、横拘束壁があればよく、他は限定されるものではない。しかし、先端側から見たとき、略長方形で、前記平坦座面が、この長方形の長辺側に位置し、前記横拘束壁がこの長方形の短辺側に位置するように形成されているものとするのがよい。中空穴を長方形として、縦横があるものとしておくことで、その穴の向きが、作業者において目でも把握し識別できる。このため、シャンクのうち、すくい面側と反対側の面の、軸線に平行な１つの平面が接するようにする平坦座面の選択が容易になり、その分、シャンクをホルダに内挿すること、及びそれに続くクランプ作業の円滑化が図られるためである。
【００１８】
また、その場合には請求項４に記載の発明では、特にメリットがある。というのは、このものでは、シャンクにおける平面が中空穴における長辺側を向く場合でないと、その挿入ができない。このため、その挿入に際しては、クランプスクリューのねじ込み方向との関係で正規の向きを簡易に識別できるため、誤挿入による誤クランプを容易かつ未然に防止できるためである。なお、請求項４に記載の発明において「外径Ｄ１」は、切れ刃におけるすくい面側とその反対側に、軸に平行な２つの平面が付けられる（２つの平面加工が行われる）前の丸棒の状態にあるシャンク（素材）の外径、すなわち、「２面幅加工」する前の丸棒（横断面が円形のシャンク素材）における外径寸法である。
【図面の簡単な説明】
【００１９】
【図１】本発明のボーリングバー用ホルダを具体化した実施形態（第１実施形態例）を説明する図であって、 Ａはホルダ（中空穴）を正面から見た図、Ｂは右側面図、Ｃは平面図。
【図２】図１のＳ１−Ｓ１線矢視拡大断面図。
【図３】図１のＡの拡大図。
【図４】図３のＰ１部の拡大図。
【図５】図４においてクランプスクリューを締付ける前の図。
【図６】中空穴の横断面形状の別例の図。
【図７】従来のボーリングバー用ホルダを説明する、ホルダ（中空穴）を先端側から見た図。
【図８】従来のボーリングバー用ホルダを説明する、ホルダ（中空穴）を先端側から見た図。
【発明を実施するための形態】
【００２０】
本発明のボーリングバー用ホルダを具体化した実施の形態例について、図１〜図５を参照しながら説明する。図１中、１００は、ボーリングバー用ホルダであって、一定外径の丸棒（円柱体）をベースとして、それから中空円軸状に加工されたものである。このホルダ１００は、その軸線Ｘに沿ってその先端１０３から後端１０５に向かう所定範囲にわたる先端寄り部位Ｌ１に、ボーリングバー２００のシャンク２５０を内挿させ得る横断面矩形（縦横寸法Ａ，Ｂの）の中空穴１１０を備えている。ただし、横断面矩形（縦横寸法Ａ，Ｂの）の中空穴１１０に続く後方は、それより大径の円穴１２５とされ、後端１０５に連通されている。詳細は説明しないが、この円穴１２５は、クーラントの流路とされ、或いはその内にはネジが形成されて、後端１０５から前記中空穴１１０の後端の位置を決めるための調節用のネジ（図示せず）が螺装されるように設定されている。すなわち、後端１０５側から調節用のネジを螺装して、挿入するボーリングバー２００のシャンク２５０の後端をそのネジの先端にて位置決めし、これによってボーリングバー２００の先端側のホルダ１００の先端１０３からの突出量を調節及び決定するようにされている。なお、ホルダ１００の外周面には、軸線Ｘに沿って所定の幅で面（平面）１２０が付けられており、刃物台への取付け時における押えネジの受圧面とされ、その向きが認識ないし把握され易いようにされている。
【００２１】
ボーリングバー２００は、例えば、ソリッドタイプのものとされ、シャンク２５０と、シャンク２５０の先端側において先方に延びる頭部２１０とからなっており、頭部２１０は側方に突出する切れ刃２１５を挟んで、凹設されたすくい面２１７と逃げ面２１９とを有している（図３、図４参照）。ボーリングバー２００は、丸棒をベースに形成されている。また、シャンク２５０は、切れ刃２１５をなす、すくい面２１７側と、これと反対側を向く側面（合わせて２つの側面）に、シャンク２５０の軸線Ｘに平行で、互いに平行な同じ平面２５３，２５５を有するものに、横断面が円から平面研削されて仕上げられている。本例では、図４に例示したように、ボーリングバー２００は、すくい面２１７が、２つの平面２５３，２５５に平行（又は略平行）となるように形成されたものとされているが、すくい面２１７は、平面２５３，２５５に対し傾斜するものであってもよい。そして、このすくい面２１７の傾斜は、図４中に２点鎖線で示されるようにすくい角度がネガとなるものとしてもよいし、その逆（ポジ）となるものとしてもよい。なお、シャンク２５０の外径（基準外径）Ｄ１は、横断面矩形の中空穴１１０の横寸法（長辺の長さＡ）より小さく設定されている。この外径Ｄ１は「２面幅加工」する前の丸棒における外径である。また、シャンク２５０における平面（２５３，２５５）付けした部位の短径（平面２５３，２５５間寸法Ｄ２）は、中空穴１１０の縦寸法（短辺の長さＢ）より微量小さく設定されている。なお、この寸法Ｂは、シャンク２５０の基準外径Ｄ１より小さくされている。これによりシャンク２５０は、中空穴１１０に一定の向きでのみ挿入され得るようにされている。
【００２２】
しかして、本例では、中空穴１１０の横断面の１つの長辺１１３ａを含む平坦な内周面に、該シャンク２５０の該平面２５３，２５５のうち、すくい面２１７側と反対側の平面２５５が接することで、シャンク２５０は、その中空穴１１０内で、その接圧方向の位置決めがなされるように設定されている。これにより、中空穴１１０の横断面（長方形）の１つの長辺（図示下の長辺）１１３ａを含む平坦な内周面が平坦座面１１３とされており、中空穴１１０の横断面の１つの短辺（図示左の短辺）１１５ｂを含む内周面が、該シャンク２５０の外周面のうちの切れ刃２１５が突出する側と反対側の部位（背面側の部位）２２５を拘束する横拘束壁１１５をなすものとされている。なお、このような四角穴加工は、例えばワイヤ放電加工で形成される。
【００２３】
一方、この横断面長方形の中空穴１１０には、その内周面と外周面との間を貫通してネジ穴１７０が設けられている。ただし、このネジ穴１７０は、そのネジ軸線１７０ｘが、該中空穴１１０（ホルダ１００）を先端１０３側から見たとき、図示下の平坦座面１１３と傾斜角α（例えば、３５度〜５５度の範囲）をなすように設けられている。また、本例においてこのネジ穴１７０は、、同じ傾斜角αで、先後に間隔をおいて２箇所設けられている。すなわち、本例では、ネジ穴１７０はここにねじ込まれるクランプスクリュー３００によって、中空穴１１０に内挿されて、平坦座面１１３と横拘束壁１１５とで位置決めされたシャンク２５０のうちのすくい面２１７側であって切れ刃２１５が突出する側の部位を、押え付け得るように、中空穴１１０を先端（ホルダの先端）１０３側から見たとき、そのネジ軸線１７０ｘが平坦座面１１３と傾斜角αをなすように設けられている。本例では、シャンク２５０のうち、図示上の平面２５３寄り部位である図３、図４における上向き面（円弧面）２４０を、角度αで押え付ける設定とされている。
【００２４】
しかして、本例では、ホルダ１００の中空穴１１０にボーリングバー２００のシャンク２５０を所定量、挿入して、その平面２５５が中空穴１１０の長辺を含む面からなる平坦座面１１３に当接するようにし、シャンク２５０における切れ刃２１５の突出側と反対側の部位（円弧部位）２２５が、中空穴１１０の短辺を含む面からなる横拘束壁１１５に当接するようにする。そして、ネジ穴１７０に螺装されているクランプスクリュー３００（本例では六角穴付き止ネジ）をねじ込む。これにより、そのクランプスクリュー３００の先端３０３が、シャンク２５０におけるすくい面２１７側のうち、切れ刃２１５が突出する側を向く面（円弧面）２４０に当接してシャンク２５０を押え付ける。かくして、シャンク２５０は、このクランプスクリュー３００のねじ込みにより、そのすくい面２１７側と反対側の平面２５５が平坦座面１１３をなす中空穴１１０の長辺１１３ａを含む内周面に、そして、切れ刃２１５が突出する側と反対側の部位２２５が、拘束横壁１１５をなす中空穴１１０の短辺１１５ｂを含む内周面に押付けられ、クランプスクリュー３００の先端３０３で、クランプスクリュー３００の位置において３点支持で固定される。なお、クランプスクリュー３００は、クランプ状態においてホルダ１００の外周面から突出しない長さのものを用いるのが好ましい。
【００２５】
そして、ネジ穴１７０は、同角度αで、先後に複数あるから、シャンク２５０は、中空穴１１０内において中空穴１１０の軸線（ホルダ１００の軸線Ｘ）に対して傾斜することなく、同角度α方向に押付けられる形でクランプされるため、その軸線に対し常に同一位置に保持される。すなわち、シャンク２５０はホルダ１００において所望とする位置に、そして、その切れ刃２１５は平坦座面１１３から所定の高さで、中心の軸線Ｘからのオフセットも一定量に保持されてクランプされる。このように、本例では、ホルダ１００の中空穴１１０にその先端１０３からボーリングバー２００のシャンク２５０を挿入する際に、切れ刃２１５の突出方向とすくい面２１７の向きさえ正しく保持されていれば、後は、各クランプスクリュー３００をねじ込むことにより、シャンク２５０は、ねじ込まれたスクリュー３００の先端３０３で同角度α方向に押付けられるため、その締付け後は、一定の心高、オフセットによる正規位置でのクランプが確保される。
【００２６】
すなわち、本例では、中空穴１１０の内周面のうち、平坦座面１１３をなす長辺１１３ａを含む平坦な内面に対し、シャンク２５０のすくい面２１７と反対側の平面２５５が拘束され得ると共に、中空穴１１０の内周面のうち、横拘束壁１１５をなす短辺１１５ｂを含む平坦な内面に対し、シャンク２５０のうち、切れ刃２１５が突出する側の部位と反対側の部位（シャンク２５０の背面側の部位）２２５が拘束され得る状態にある。したがって、クランプスクリュー３００のねじ込み前において、図５に示したように、シャンク２５０の背面側の部位２２５が、横拘束壁１１５との間で隙間δ１があるとしても、クランプスクリュー３００をねじ込むことによって、シャンク２５０は背面側に向けて平坦な座面１１３上を滑るように移動する。このため、そのねじ込み後においては図３、図４に示したように、その隙間δ１はなくなり、シャンク２５０は中空穴１１０内にて自動的に所定のオフセットが保持されて固定される。なおクランプスクリュー３００はホルダ１００の先後に間隔をおいて、シャンク２５０を複数箇所で押付けるように設けられているため、シャンク２５０は中空穴１１０の軸線Ｘに対し、その先後における傾斜もなく固定される。また、切れ刃の心高さは、クランプ状態において、中空穴１１０の平坦座面１１３上からの高さ寸法として求められるから、ボーリンクバー２００のその高さ方向の寸法に基づいて、中空穴１１０における座面の位置（矩形穴の内周面の位置）を設定しておくことで、ボーリングバー２００ごと、所望とする心高さを常に一定のものとして得ることができる。同様に、切れ刃２１５の平面位置（オフセット量）も、クランプ状態において、中空穴１１０の横拘束壁１１５から切れ刃２１５までの寸法として求められるから、ボーリンクバーのその寸法に基づいて、中空穴１１０における横拘束壁の位置を設定しておくことで、ボーリングバー２００ごと、所望とするオフセット量を常に一定のものとして得ることができる。
【００２７】
なお、角度αは、クランプ剛性が高められるように、また、ホルダ１００を先端１０３側から見たときの３点支持が安定するように設定すればよい。切削抵抗（合力）のうち、主分力、背分力に応じて設定すればよいが、３点支持角度のバランスを考慮して設定すればよい。なお、本例では、角度αは、先後において同じとしたが、先後のクランプスクリュー３００によって、異なる角度としてもよい。
【００２８】
なお、前記形態では、ボーリングバー２００は、シャンク２５０が上下に２つの平行な平面２５３，２５５を有する、２面幅加工されたものを用いた場合で具体化したが、本発明のホルダ１００に適用するボーリングバー２００のシャンク２５０に設ける平面は、中空穴１１０の平坦座面１１３に接圧される側の面にのみ設けるだけでもよい。例えば、シャンク２５０の一端側にのみ切れ刃２１５があるものでは、切れ刃２１５の交換はないので、中空穴１１０の平坦座面に接圧されるシャンク２５０の平面は１つだけとなるから、その意味で２面幅加工をする理由はない。したがって、このような場合には、図６示したように、上記例において、シャンク２５０における図示上の平面２５３は設けられていなくともよい。
【００２９】
また、前記形態では、中空穴１１０はその横断面が長方形の場合を例示したが、これについても、本願発明では正方形としてもよいし、それ以外の横断面形状としてもよい。すなわち、本願発明において中空穴１１０の横断面形状については、中空穴１１０の内周面に、該シャンク２５０の該平面２５５が接することで、その接圧方向の位置決めがなされる平坦座面１１３と、該シャンク２５０の外周面のうちの切れ刃２１５が突出する側と反対側の部位２２５を拘束する横拘束壁１１５とを有しておれば十分であり、したがって、この平坦座面１１３と横拘束壁１１５以外をなす中空穴１１０の内面（内周面）は、任意の形状のものとして具体ができる。
【００３０】
また上記例において、横拘束壁１１５は、平坦座面１１３に対して垂直な壁とした場合を説明したが、この横拘束壁１１５は、シャンク２５０の外周面のうちの切れ刃２１５が突出する側と反対側の部位２２５を拘束できればよく、したがって、平坦座面１１３に対して傾斜して立ち上がる壁であってもよい。ただし、その場合には、図６中、２点鎖線で示した横拘束壁１１５のように、すくい面２１７側からシャンク２５０に被さるような傾斜壁とするのがよい。すなわち、本発明では、シャンク２５０を、クランプスクリュー３００のねじ込みにより、その先端と、平坦座面と横拘束壁との３点支持で固定できればよく、したがって、クランプスクリュー３００の角度αをも考慮し、安定した３点支持による締め付けが得られるようにすればよい。
【００３１】
本発明のボーリングバーホルダは、上記例のものに限定されるものではなく、その要旨を変更しない限り、適宜に変更して具体化できる。例えば、上記例では、先後に同一外径のスリーブとしたが、例えば、先端寄り部位が先細りテーパに形成されていてもよいし、先端側が小径で後端側が大径の異径外径のホルダとしても具体化できるし、全体が先細りテーパをなすものとしても具体化できる。さらに、横断面は、円でなくともよいなど、取り付けられる加工機械（旋盤）の刃物台に応じて適宜の形状、構造、取付け手段のものとして具体化することができる。また、本発明のボーリングバーホルダにクランプされるボーリングバーは、両端に切れ刃２１５を有する所謂、２コーナタイプのものを用いることもできるし、片端にのみ切れ刃２１５を有する１コーナタイプのものを用いることもできるのは上記した通りである。
【符号の説明】
【００３２】
１００  ボーリングバー用ホルダ
１１０  中空穴
１１３ 中空穴の平坦座面
１１５ 中空穴の横拘束壁
１７０  ネジ穴
１７０ｘ  ネジの軸線
２００  ボーリングバー
２１５  切れ刃
２１７  すくい面
２２５  シャンクの外周面のうちの切れ刃が突出する側と反対側の部位
２５０  シャンク
２５５  シャンクのすくい面と反対側を向く１つの側面に設けられた平面
３００  クランプスクリュー
Ｘ シャンクの軸線
α  傾斜角
【図１】
2014205229.tif 000003
【図２】
2014205229.tif 000004
【図３】
2014205229.tif 000005
【図４】
2014205229.tif 000006
【図５】
2014205229.tif 000007
【図６】
2014205229.tif 000008
【図７】
2014205229.tif 000009
【図８】
2014205229.tif 000010